(57)【要約】【課題】患者の医療知識の理解向上、ドクターの業務効率向上、及び患者の再来院による集客効果の向上を図る。【解決手段】医療情報システムであって、検査に関するレポート情報を入力する入力手段（例えばレポート入出力用端末１４）と、該入力手段により入力された前記レポート情報が記憶される第一の記憶手段（例えばサーバ１５のデータベース）と、前記レポート情報を用いて患者説明用情報を作成する作成手段（例えばレポート入出力用端末１４）と、を備えるように構成する。【選択図】図２
2004154237.tif 000002
【特許請求の範囲】
【請求項１】
検査に関するレポート情報を入力する入力手段と、
該入力手段により入力された前記レポート情報が記憶される第一の記憶手段と、
前記レポート情報を用いて患者説明用情報を作成する作成手段と、
を備えることを特徴とする医療情報システム。
【請求項２】
更に、
前記患者説明用情報が記憶される第二の記憶手段と、
前記患者説明用情報に基づく内容を表示させる表示手段と、
該表示手段により表示された前記患者説明用情報に基づく内容中の文字、単語、或いは文章を指示する指示手段と、
前記指示手段により指示された前記文字、単語、或いは文章を、より簡単或いはより専門的な文字、単語、或いは文章へ変更する変更手段と、
該変更手段による変更に基づく文書レベルと前記変更手段による変更内容が記憶される第三の記憶手段と、
を備えることを特徴とする請求項１記載の医療情報システム。
【請求項３】
前記作成手段は、
前記入力手段により入力された前記レポート情報を用いて前記患者説明用情報を作成する、
ことを特徴とする請求項１又は２記載の医療情報システム。
【請求項４】
前記作成手段は、
前記第一の記憶手段に記憶された前記レポート情報を用いて前記患者説明用情報を作成する、
ことを特徴とする請求項１又は２記載の医療情報システム。
【請求項５】
前記入力手段は、
定型文である用語が選択されることにより、前記検査に関する情報を入力する、
ことを特徴とする請求項１又は２項記載の医療情報システム。
【請求項６】
前記作成手段は、
前記文書レベルに基づいて、前記レポート情報を用いて患者説明用情報を作成する、
ことを特徴とする請求項２記載の医療情報システム。
【請求項７】
前記患者説明用情報に基づく内容の表示の開始及び終了を、患者に個別に付与されているＩＤカードを用いて行うことにより患者への説明の開始及び終了のチェックを行い、前記患者への説明に要する時間を計数する、
ことを特徴とする請求項２記載の医療情報システム。
【請求項８】
検査に関するレポート情報を入力し、
該入力した前記レポート情報を記憶し、
前記レポート情報を用いて患者説明用情報を作成し、
該作成した患者説明用情報を記憶し、
前記患者説明用情報に基づく内容を表示させ、
該表示された前記患者説明用情報に基づく内容中の文字、単語、或いは文章を指示し、
該指示した前記文字、単語、或いは文章を、より簡単或いはより専門的な文字、単語、或いは文章へ変更し、
該変更に基づく文書レベルと前記変更の内容を記憶する、
ことを特徴とする医療情報管理方法。
【発明の詳細な説明】
【０００１】
【発明の属する技術分野】
本発明は、検査に関するレポート等の情報を管理する医療情報システム及び医療情報管理方法に関する。
【０００２】
【従来の技術】
従来、病院等では、患者への検査が終了すると、担当ドクターによってその検査に関するレポートがＰＣ（パーソナルコンピュータ）端末等を介して入力され、そのレポートに関する情報が電子データとして患者に対応付けされて管理されるようになっている。この情報は、ドクターや病院用のレポートであり、例えば病理依頼書や診療情報提供書等は、この情報に基づいて作成されている。
【０００３】
ところで、検査が終了したとき等に、患者から検査結果の提供（説明も含む）を求められるときがある。この場合、例えばその検査が内視鏡検査の場合にあっては、撮影された内視鏡画像をビデオプリンタで印刷して提供する等といった程度で、それに説明書が加えられることはほとんど無かった。また、説明書を提供するにしても、その説明書として前述のレポートをそのまま提供するか、或いはドクターが患者への説明用に別途説明書を作成する等して、検査結果の提供を行っていた。
【０００４】
【特許文献１】
特開２００２−７３６１５号公報
【０００５】
【発明が解決しようとする課題】
しかしながら、前述のレポートは、ドクターや病院用に作成されるものであって、患者への説明を目的として作成されるものではない。従って、その内容は専門的な医療用語で表現されていることが多く、患者が前述の説明書として提供されたレポートを見ただけでは、その内容を十分に理解できなかった。
【０００６】
また、前述のように、ドクターが患者への説明用に別途説明書を作成していたのでは、ドクターの負担が大きくなり、業務効率を低下させることになった。
本発明の課題は、上記実情に鑑み、患者の医療知識の理解向上、ドクターの業務効率向上、及び患者の再来院による集客効果の向上に有効な、医療情報システム及び医療情報管理方法を提供することである。
【０００７】
【課題を解決するための手段】
本発明の第一の態様は、検査に関するレポート情報を入力する入力手段と、該入力手段により入力された前記レポート情報が記憶される第一の記憶手段と、前記レポート情報を用いて患者説明用情報を作成する作成手段と、を備える医療情報システムである。
【０００８】
上記の構成によれば、入力されたレポート情報が用いられて患者説明用情報が作成されるようになる。よって、ドクターは別途患者説明用に資料等を作成する手間が省け業務効率を向上させることができる。また、患者は、この患者説明用情報に基づく内容を確認することによって、検査の内容を十分に理解することができ、患者の再来院による集客効果の向上にも有効である。
【０００９】
本発明の第二の態様は、前記第一の態様において、更に、前記患者説明用情報が記憶される第二の記憶手段と、前記患者説明用情報に基づく内容を表示させる表示手段と、該表示手段により表示された前記患者説明用情報に基づく内容中の文字、単語、或いは文章を指示する指示手段と、前記指示手段により指示された前記文字、単語、或いは文章を、より簡単或いはより専門的な文字、単語、或いは文章へ変更する変更手段と、該変更手段による変更に基づく文書レベルと前記変更手段による変更内容が記憶される第三の記憶手段と、を備える、構成である。
【００１０】
この構成によれば、表示された患者説明用情報に基づく内容中の文章等が、指示によって、より簡単或いはより専門的な文章等に変更されるようになる。よって、患者説明用情報に基づく内容を、患者の医療知識レベルに応じた内容に変更することができ、患者の医療知識の理解向上に有効である。
【００１１】
本発明の第三の態様は、前記第一又は第二の態様において、前記作成手段は、前記入力手段により入力された前記レポート情報を用いて前記患者説明用情報を作成する、構成である。
この構成によれば、入力手段により入力されたレポート情報が用いられて患者説明用情報が作成される。
【００１２】
本発明の第四の態様は、前記第一又は第二の態様において、前記作成手段は、前記第一の記憶手段に記憶された前記レポート情報を用いて前記患者説明用情報を作成する、構成である。
この構成によれば、第一の記憶手段に記憶されたレポート情報が用いられて患者説明用情報が作成される。
【００１３】
本発明の第五の態様は、前記第一又は第二の態様において、前記入力手段は、定型文である用語が選択されることにより、前記検査に関する情報を入力する、構成である。
この構成によれば、検査に関する情報の入力が容易になる。
【００１４】
本発明の第六の態様は、前記第二の態様において、前記作成手段は、前記文書レベルに基づいて、前記レポート情報を用いて患者説明用情報を作成する、構成である。
この構成によれば、文書レベルに基づいて患者説明用情報が作成される。よって、患者の医療知識レベルに応じた患者説明用情報を作成することができ、患者の医療知識の理解向上に有効である。
【００１５】
本発明の第七の態様は、前記第二の態様において、前記患者説明用情報に基づく内容の表示の開始及び終了を、患者に個別に付与されているＩＤカードを用いて行うことにより患者への説明の開始及び終了のチェックを行い、前記患者への説明に要する時間を計数する、構成である。
【００１６】
この構成によれば、患者への説明に要した時間を計数することができる。よって、患者への説明を十分に行っているか否か等といったドクターの評価等に役立てることが可能になる。
本発明の第八の態様は、検査に関するレポート情報を入力し、該入力した前記レポート情報を記憶し、前記レポート情報を用いて患者説明用情報を作成し、該作成した患者説明用情報を記憶し、前記患者説明用情報に基づく内容を表示させ、該表示された前記患者説明用情報に基づく内容中の文字、単語、或いは文章を指示し、該指示した前記文字、単語、或いは文章を、より簡単或いはより専門的な文字、単語、或いは文章へ変更し、該変更に基づく文書レベルと前記変更の内容を記憶する、医療情報管理方法である。
【００１７】
上記の方法によれば、前述の第一及び第二の態様と同様の作用・効果を得ることができる。
【００１８】
【発明の実施の形態】
以下、本発明の実施の形態を図面を参照しながら説明する。
図１は、本発明の一実施の形態に係る医療情報システムの構成例を示す図である。
【００１９】
同図に示したように、本実施の形態に係る医療情報システム１は、病院内の各外来部門に設けられた複数の院内情報端末２と、複数の内視鏡検査システム４からなる内視鏡部門５と、複数の病理検査システム６からなる病理部門７と、院内情報端末２から入力された患者のデータや内視鏡部門５及び病理部門７からの検査データ等を所定のフォーマットで格納する電子カルテシステム８等を含み、各々が院内ネットワーク３に接続され、相互にデータの授受が可能なように構成されている。
【００２０】
また、院内ネットワーク３には、不図示ではあるが、超音波検査システム、ＣＴ検査システム、或いはＭＲＩ検査システム等の他部門の検査システム９が接続可能となっている。
図２は、前述の内視鏡検査システム４の構成例を示す図である。
【００２１】
同図に示したように、内視鏡検査システム４は、体腔内を内視鏡検査する内視鏡検査装置１１に接続された検査装置用端末１２と、内視鏡検査結果等のレポート情報を入力すると共にそのレポート情報に基づいて患者説明用情報を作成するレポート入出力用端末１４と、検査装置用端末１２からの検査データ（内視鏡画像データ等）及びレポート入出力用端末１４からのレポート情報や該レポート情報に基づく患者説明用情報等を保存するサーバ１５と、サーバ１５に保存された情報をバックアップするための大容量記録装置であるＤＶＤチェンジャー１６を制御するＤＶＤ制御用端末１７と、前記電子カルテシステム８を監視し検査依頼データ及び検査結果データ等の送受を管理するデータ送受信用端末１８と、レポート情報に基づく検査レポート及び患者用説明情報に基づく内容等を印刷するためのプリンタ１９等を含み、各々がシステムネットワーク１３に接続され、相互にデータの授受が可能なように構成されている。また、レポート入出力用端末１４及びサーバ１５にはそれぞれ、プリンタ１９ａ及びプリンタ１９ｂが接続され、必要に応じて所定の印刷が可能なようになっている。
【００２２】
尚、不図示ではあるが、病理検査システム６や他部門の検査システム９も、このような内視鏡検査システム４と同様の構成を有している。
前述の院内情報端末２、検査装置用端末１２、レポート入出力用端末１４、ＤＶＤ制御用端末１７等の各端末は、パーソナルコンピュータ（ＰＣ）によって構成されている。
【００２３】
ここで、その構成の一例として、レポート入出力用端末１４の構成について説明する。
図３は、レポート入出力用端末１４の構成例を示す図である。
同図に示したように、レポート入出力用端末１４は、システムネットワーク１３に接続されデータの送受を行うネットワークＩ／Ｆ２１と、マウスやキーボード等のデータ入力装置に接続されるデータ入力部２２と、プリンタ等のデータ出力装置に接続されるプリンタＩ／Ｆ２３と、ＰＣモニタに接続されるデータ表示部２４と、ネットワークＩ／Ｆ２１、データ入力部２２、プリンタＩ／Ｆ２３、及びデータ表示部２４を制御しデータ処理等を行って処理結果をハードディスク等のデータ記憶部２５に格納するデータ制御部２６等を含んで構成されている。
【００２４】
以下、このような構成を有する医療情報システム１において行われる医療情報管理処理について説明する。
例えば、院内情報端末２にて内視鏡検査依頼情報が発行されると、内視鏡検査システム４のデータ送受信用端末１８によって内視鏡検査依頼情報が受信される。受信された内視鏡検査依頼情報は、データ送受信用端末１８によってサーバ１５内のデータベースに登録される。
【００２５】
そして、内視鏡検査システム４において、サーバ１５に登録された内視鏡検査依頼情報に従って内視鏡検査装置１１による検査が実施される。具体的には、内視鏡検査装置１１に接続された検査装置用端末１２がサーバ１５から内視鏡検査依頻情報を取得することによって内視鏡検査が開始可能となる。
【００２６】
内視鏡検査装置１１により内視鏡画像が撮影される等して検査が終了すると、検査装置用端末１２によってその内視鏡画像が内視鏡検査依頼情報と関連付けられてサーバ１５に保存される。また、サーバ１５に内視鏡画像が保存（記録）されると、その内視鏡画像がＤＶＤ制御用端末１７によってＤＶＤチェンジャー１６にコピーされる。
【００２７】
また、実施された検査に関するレポート情報が、レポート入出力用端末１４に入力されると、そのレポート入出力用端末１４によって、そのレポート情報に基づいて患者説明用情報が作成され、そのレポート情報と該レポート情報に基づいて作成された患者説明用情報が、内視鏡検査依頼情報と関連付けされてサーバ１５内のデータベースに登録される。尚、登録されたレポート情報は、その後、サーバ１５のデータベースから消去されることはない。また、サーバ１５にレポート情報が登録（記録）されると、そのレポート情報がＤＶＤ制御用端末１７によってＤＶＤチェンジャー１６にコピーされる。
【００２８】
また、レポート入出力用端末１４によってレポート情報と該レポート情報に基づいて作成された患者説明用情報がサーバ１５へ登録されると同時に、レポート情報は電子カルテシステム８へも送信される。
また、このようにしてサーバ１５のデータベースに登録されたレポート情報は、必要に応じてレポート入出力用端末１４によって呼び出され、レポート情報の参照や編集が可能となっている。
【００２９】
続いて、レポート入出力用端末１４において行われる、レポート情報作成処理について説明する。尚、このレポート情報作成処理は、実施された検査に関するレポート情報が入力されるときに実行される処理であり、データ制御部２６が内部メモリに格納されている制御プログラムを読み出し実行することによって行われる処理である。
【００３０】
このレポート情報作成処理が開始されると、まず、レポート入出力用端末１４のＰＣモニタにレポート作成用の入力画面が表示され、その入力画面において所定の入力や指示等が行われることによって、検査に関するレポート情報の入力が可能になっている。
【００３１】
図４は、このレポート情報作成処理が開始されたときに、レポート入出力用端末１４のＰＣモニタに表示される、レポート作成用の入力画面の一例を示す図である。
同図に示した入力画面は、上部消化管内視鏡検査に関するレポート作成用の入力画面３０を示しており、主に、患者基本情報が表示される表示エリア３１、検査種別指定が表示される表示エリア３２、依頼元情報が表示される表示エリア３３、検査結果情報（レポート情報）が入力されるレポート情報入力欄３４（３４ａ、３４ｂ、３４ｃ、３４ｄ、３４ｅ、３４ｆ）、観察臓器の指定を可能にする観察タグ３５（３５ａ、３５ｂ、３５ｃ、３５ｄ）、用語の選択を可能にする用語選択欄３６、作成されたレポートの確認を指示するためのレポート確認ボタン３７、作成されたレポートの印刷を指示するためのレポート印刷ボタン３８、作成されたレポート情報と該レポート情報に基づく患者説明用情報をサーバ１５へ送信・保存すると共に、そのレポート情報を電子カルテシステム８へ送信・保存する指示を行うためのレポート送信ボタン３９、作成されたレポート情報と該レポート情報に基づく患者説明用情報をサーバ１５へ一次保存する指示を行うためのレポート保存ボタン４０、患者説明用情報に基づく内容の印刷を指示するための説明用印刷ボタン４１、患者説明用画面の表示指示を行うための患者説明ボタン４２、及び内視鏡検査において撮影された内視鏡画像４３（同図では４３ａ、４３ｂ、及び４３ｃ）が表示される内視鏡画像欄４４等で構成されている。
【００３２】
表示エリア３１乃至３３の各々に表示される内容（同図では不図示）は、サーバ１５のデータベースから取得された情報に基づいて表示されるものである。また、レポート情報入力欄３４は、「内視鏡診断」、「検査後指示」、「所見」、「診断」、「処置」、「コメント」等の入力欄３４ａ乃至３４ｆからなり、入力欄３４ａ乃至３４ｆの各々への入力が可能になっている。また、観察タグ３５は、「咽頭」、「食道」、「胃」、「十二指腸」の観察タグ３５ａ乃至３５ｄからなり、何れかの観察タグ３５が選択されることにより、対応する観察臓器に対する入力欄３４ｃ乃至３４ｅへの入力が可能になる。同図に示した例では、観察タグ３５ｂが選択され、「食道」に対する「所見」、「診断」、「処置」の入力欄３４ｃ乃至３４ｅの各々への入力が可能な状態を示している。また、その入力欄３４ｃ乃至３４ｅの各々へは、用語選択欄３６に表示される用語一覧の中から所定の用語が選択されることにより表示される用語選択ウィンドウ５０（図６を用いて後述）において選択された用語が組み合わされた文章が入力されるようになっている。尚、用語選択欄３６に表示される用語は、予めサーバ１５のデータベースに登録（記録）されている、例えばＭＳＴ（  Ｍｉｎｉｍａｌ  Ｓｔａｎｄａｒｄ  Ｔｅｒｍｉｎｏｌｏｇｙ  ）に準拠した用語であり、必要に応じて対応する用語が読み出され用語選択欄３６に表示される。
【００３３】
図５は、このような入力画面３０において、入力欄３４ｃ乃至３４ｅへの入力が行われるときに実行される入力処理の一例を示すフローチャートである。
本処理では、選択中の観察タグ３５に対応する観察臓器に対して入力が行われる。尚、入力画面３０の表示が行われた時点においては、デフォルトとして観察タグ３５ａ（「咽頭」）が選択されている。
【００３４】
本例においては、図４に示したように、観察タグ３５ｂ（「食道」）が選択されているものとする。
図５に示した入力処理において、まず、Ｓ５０１では、入力欄３４ｃ乃至３４ｅの何れかがマウスによってクリックされたか否かが判定され、その判定結果がＹｅｓの場合にはＳ５０２へ処理が進み、Ｎｏの場合には本ステップが繰り返される。
【００３５】
Ｓ５０２では、前ステップでクリックされた入力欄に対応する内容の用語一覧が、用語選択欄３６に表示される（切り替えられる）。例えば、図４に示した例では、入力欄３４ｃ（「所見」）がクリックされ、それに対応する内容の用語一覧が用語選択欄３６に表示されている。
【００３６】
Ｓ５０３では、用語選択欄３６に表示されている用語一覧の中から所定の用語が選択されたか否かが判定され、その判定結果がＹｅｓの場合にはＳ５０４へ処理が進み、Ｎｏの場合には本ステップが繰り返される。
Ｓ５０４では、前ステップで選択された用語に対応する、用語選択ウィンドウ５０の表示が行われる。
【００３７】
図６は、このときに表示される用語選択ウィンドウ５０の一例を示す図である。同図に示した用語選択ウィンドウ５０は、入力欄３４ｃ（「所見」）がクリックされ、その入力欄３４ｃに対応して用語選択欄３６に表示された用語一覧の中から「食道裂孔ヘルニア」が選択されたときに表示されたものであり、選択可能な用語が表示される入力欄５１ａや長さ等の数値が入力される入力欄５１ｂ，５１ｃからなる用語選択項目欄５１や、デフォルトのレポート文章或いは各用語選択項目欄５１において選択された用語や入力された数値等に基づいて作成されたレポート文章が表示される文章表示欄５２や、ＯＫボタン５３や、キャンセルボタン５４等で構成されている。
【００３８】
尚、用語選択項目欄５１に表示される選択可能な用語は、予めサーバ１５のデータベースに登録（記録）されている用語であり、必要に応じて対応する用語が読み出され用語選択項目欄５１に表示される。また、文章表示欄５２に表示されるレポート文章は、前述の各用語選択項目欄５１において選択された用語や入力された数値、及び予めサーバ１５のデータベースに登録（記録）されている用語に基づいて作成される。
【００３９】
このような用語選択ウィンドウ５０において、所定の用語が選択され、また所定の数値が入力されることにより、「食道裂孔ヘルニア」についての「所見」の入力が行われる。
尚、用語選択欄３６に表示されている他の各用語に対応する用語選択ウィンドウ５０も、それぞれ対応する、用語選択項目欄５１、文章表示エリア５２、ＯＫボタン５３、及びキャンセルボタン５４等で構成され、同様にして入力が可能である。
【００４０】
続いて、Ｓ５０５では、用語選択ウィンドウ５０の各用語選択項目欄５１において用語の選択や数値の入力が行われたか否かが判定され、その判定結果がＹｅｓの場合にはＳ５０６へ処理が進み、Ｎｏの場合には本ステップが繰り返される。
【００４１】
Ｓ５０６では、各用語選択項目欄５１に選択された用語や入力された数値に基づいてレポート文章が作成され、このレポート文章が文章表示欄５２に表示される。
図７は、このときに表示される用語選択ウィンドウ５０の一例を示す図である。同図に示した例は、用語選択項目欄５１ａにおいて選択された用語「中くらいの」がハイライトされ、用語選択項目欄５１ｂ、５１ｃにおいて入力された数値「５４」、「６２」が表示され、それらに応じて作成されたレポート文章が文章表示欄５２に表示された例である。
【００４２】
また、このＳ５０６のバックグラウンドにおいて行われるＳ５０６´では、作成されたレポート文章から、サーバ１５に記録されている患者の医療知識レベル（理解度）に関する情報に基づいて、患者の医療知識レベルに応じた患者説明用情報の作成も行われる。但し、その患者が初診の場合には、その患者の医療知識レベルに関する情報は未登録であるため、この場合には、標準レベル（中間レベル）に応じた患者説明用情報の作成が行われる。
【００４３】
Ｓ５０７では、ＯＫボタン５３がクリックされたか否かが判定され、その判定結果がＹｅｓの場合にはＳ５０８へ処理が進み、Ｎｏの場合にはＳ５０５へ処理が戻る。
Ｓ５０８では、用語選択ウィンドウ５０が閉じられ、前述のＳ５０１においてクリックされた入力欄３４に、前述のＳ５０６において作成されたレポート文章が入力される。
【００４４】
図８は、このときに表示される入力画面３０の一例を示す図である。同図に示した例は、用語選択ウィンドウ５０において作成されたレポート文章が、入力画面３０のレポート情報入力欄３４ｃに入力された例である。
そして、Ｓ５０８の処理が終了すると、Ｓ５０１へ処理が戻る。
【００４５】
このように、Ｓ５０１乃至Ｓ５０７の処理が繰り返し行われることによって、「食道」に関する「所見」、「診断」、「処置」の入力欄３４ｃ乃至３４ｅの各々に、対応するレポート文章の入力が可能になる。
また、他の観察タグ３５ａ、３５ｃ、或いは３５ｄがそれぞれ選択された上で、図５に示した処理が行われることによって、他の観察臓器である「咽頭」、「胃」、或いは「十二指腸」に対しての「所見」、「診断」、「処置」の各々のレポート文章の入力が可能になる。
【００４６】
図９は、観察タグ３５ａ「咽頭」が選択されて図５に示した処理が行われることによって表示される入力画面３０の一例を示す図である。図９に示した例では、「咽頭」についての「所見」及び「診断」の入力欄３４ｃ乃び３４ｄへレポート文章が入力された例を示している。また、用語選択欄３６には、入力欄３４ｃ（「所見」）がクリックされたことにより、それに対応する用語一覧が表示されている。
【００４７】
また、図１０は、観察タグ３５ｃ「胃」が選択されて図５に示した処理が行われることによって表示される入力画面３０の一例を示す図である。図１０に示した例では、「胃」についての「所見」及び「診断」の入力欄３４ｃ乃び３４ｄへレポート文章が入力された例を示している。また、用語選択欄３６には、入力欄３４ｄ（「診断」）がクリックされたことにより、それに対応する用語一覧が表示されている。
【００４８】
また、図１１は、観察タグ３５ｄ「十二指腸」が選択されて図５に示した処理が行われることによって表示される入力画面３０の一例を示す図である。図１１に示した例では、「十二指腸」についての「所見」及び「診断」の入力欄３４ｃ乃び３４ｄへレポート文章が入力された例を示している。また、用語選択欄３６には、入力欄３４ｄ（「診断」）がクリックされたことにより、それに対応する用語一覧が表示されている。
【００４９】
尚、図９乃至図１１に示した入力画面３０においては、「処置」の入力欄３４ｅには何れも入力されなかった例を示したが、これについても図５に示した処理が行われることによって同様にして入力可能であることは述べるまでもない。
また、入力画面３０において、レポート情報入力欄３４ａ（「内視鏡診断」）、３４ｂ（「検査後指示」）、３４ｆ（「コメント」）へは、各入力欄３４がクリックされることによって直接文章の入力が可能になっている。また、入力欄３４ａ及び３４ｂについては、各欄右側のボタンが押下（クリック）されることにより表示されるプルダウンメニューの中から定型文が選択されることによっても、その入力が可能になっている。
【００５０】
このようにして、各観察タグ３５が選択され、各観察臓器である、「咽頭」、「食道」、「胃」、「十二指腸」の各々についての「所見」、「診断」、「処置」の入力欄３４ｃ乃至３４ｅにレポート文章が入力され、また、レポート情報入力欄３４ａ、３４ｂ、３４ｆに所定の入力が行われる等して、レポート確認ボタン３７が押下（クリック）されると、それまでに入力欄３４ａ乃至３４ｆに入力された情報等に基づいて作成されたレポートを示す内視鏡検査レポート画面６０が入力画面３０上に表示される。これにより、作成されたレポートの確認を行うことができるようになっている。
【００５１】
図１２は、このときに表示される内視鏡検査レポート画面６０の一例を示す図である。同図に示したように、内視鏡検査レポート画面６０には、入力画面３０において各観察臓器である「咽頭」、「食道」、「胃」、「十二指腸」の各々についての「所見」、「診断」、「処置」の各入力欄３４ｃ乃至３４ｅ、及び「内視鏡診断」、「検査後指示」、「コメント」の各入力欄３４ａ、３４ｂ、３４ｆに入力されたレポート文章が一覧として表示され、作成されたレポートを一目で確認することができるようになっている。
【００５２】
また、この内視鏡検査レポート画面６０において、画面表示ボタン６１が押下（クリック）されることによって、図４等に示した内視鏡画像４３が表示され、また、閉じるボタン６２が押下（クリック）されることによって、この内視鏡検査レポート画面６０が閉じられるようになっている。
【００５３】
また、入力画面３０において、レポート印刷ボタン３８が押下（クリック）されることによって、作成されたレポートが印刷される。また、レポート保存ボタン４０が押下（クリック）されることによって、作成されたレポート情報及び該レポート情報に基づいて作成された患者説明用情報がサーバ１５に一時的に保存される。また、レポート送信ボタン３９が押下（クリック）されることによって、作成されたレポート情報及び該レポート情報に基づいて作成された患者説明用情報がサーバ１５に保存（登録）されると共に、そのレポート情報が電子カルテシステム８へ送信される。
【００５４】
また、不図示ではあるが、所定の指示が行われることによって、サーバ１５に保存されているレポート情報の編集も可能になっている。ここで、レポート情報が編集されると、その編集されたレポート情報に基づいて患者説明用情報が作成される。但し、この場合、編集前のレポート情報及び該編集前のレポート情報に基づく患者説明用情報は、編集後のレポート情報及び該編集後のレポート情報に基づく患者説明用情報によって上書き（更新）されることはなく、新規に作成され、その都度、次に示す（１）及び（２）の処理が行われる。すなわち、レポート情報の版数が上がることになる。
【００５５】
まず、（１）では、レポート入出力用端末１４によって、編集後のレポート情報と該編集後のレポート情報に基づいて作成された患者説明用情報とが、内視鏡検査依頼情報と関連付けされてサーバ１５内のデータベースへ登録（保存）されると同時に、その編集後のレポート情報が電子カルテシステム８へ送信される。
【００５６】
（２）では、ＤＶＤ制御用端末１７によって、サーバ１５内に登録された編集後のレポート情報と該レポート情報に基づいて作成された患者説明用情報とがＤＶＤチェンジャー１６へコピーされる。
また、レポート入出力端末１４から電子カルテシステム８へ送信されたレポート情報は、電子カルテシステム８によって該電子カルテシステム８のデータベースに登録される。このようにして電子カルテシステム８のデータベースに登録されたレポート情報は、院内情報端末２によって表示、参照が可能なようになっている。但し、その編集はできないようになっている。
【００５７】
また、入力画面３０において、患者説明ボタン４２が押下（クリック）されることによって、患者説明用画面７０が表示されるようになっている。尚、この患者説明ボタン４２は、ドクターが検査結果を患者に説明するとき等に押下されるものである。
【００５８】
図１３は、このときに表示される患者説明用画面７０の一例を示す図である。同図に示した患者説明用画面７０において、内視鏡診断欄７１ａ、検査後指示欄７１ｂ、所見欄７１ｃ、診断欄７１ｄ、処置欄７１ｅ、コメント欄７１ｆ、及び画像欄７２の各々には、入力画面３０のレポート情報入力欄３４ａ乃至３４ｆ及び内視鏡画像欄４４の各々に表示されていたもの、或いはそれに対応するものが表示される。すなわち、所見欄７１ｃ、診断欄７１ｄ、処置欄７１ｅの各々には、レポート情報入力欄３４ｃ乃至３４ｅの各々に表示されていたレポート文章から作成された、患者の医療知識レベルに関する情報に基づく患者説明用情報（前述の図５のＳ５０６´の処理にて作成された患者説明用情報）に応じた内容が表示され、それ以外は、入力画面３０に表示されていたものが表示される。
【００５９】
尚、図１３に示した例は、患者の医療知識レベルに関する情報においてその医療知識レベルが標準レベル（中間レベル）であった場合の表示例であり、患者説明用画面７０の例えば所見欄７１ｃに表示されている患者説明用情報に基づく内容は、入力画面３０の対応する臓器（食道）のレポート情報入力欄３４ｃに入力されていたレポート情報に基づく内容と同一になっている。
【００６０】
また、患者説明用画面７０には、入力画面３０と同様に、観察臓器の指定を可能にする観察タグ７３（７３ａ、７３ｂ、７３ｃ、７３ｄ）が設けられている。図１３の例では、観察タグ７３ｂ（「食道」）が選択（クリック）され、「食道」に関する「所見」、「診断」、「処置」の内容が表示されている。尚、この患者説明用画面７０の表示が行われたときには、デフォルトとして観察タグ７３ａ（「咽頭」）が選択される。
【００６１】
また、この患者説明用画面７０において、説明用印刷ボタン７４は患者説明用情報を印刷指示するためのものであり、付属情報ボタン７５は付属情報画面を表示指示するためのものである。
前述したように、この患者説明用画面７０において、所見欄７１ｃ、診断欄７１ｄ、及び処置欄７１ｅには、始めに、患者の医療知識レベルに関する情報に基づく患者説明用情報に応じた内容が表示されるものであるが、この内容は、所定の指示を行うことによって、より簡単或いはより専門的な表記に変更して表示させることができるようになっている。詳しくは、所見欄７１ｃ、診断欄７１ｄ、及び処置欄７１ｅに表示されている患者説明用情報に基づく内容中のアンダーラインが引かれた単語（例えば、所見欄７１ｃに表示されている「Ｚ  ｌｉｎｅ  」、「切歯」、或いは「食道裂孔ヘルニア」など）を、より簡単或いはより専門的な表記の単語に変更して表示させることができるようになっている。尚、これらの単語に関する情報は、予め、サーバ１５のデータベースに各々文書レベルに対応付けされて登録されており、必要に応じて読み出され、その単語が表示されるようになっている。また、本例では、変更対象が単語である場合を例に説明するが、例えば、これが文字や文章などであっても良い。
【００６２】
ここで、この患者説明用画面７０において行われる表示処理について説明する。
図１４（ａ），（ｂ）  及び図１５（ａ），（ｂ）  は、その表示処理の一例を示すフローチャートである。
【００６３】
尚、本例においては、この表示処理が開始されたときに、観察タグ７３ｂ（「食道」）が選択されていたものとする。
まず、図１４（ａ）  のＳ１４０１では、患者説明用画面７０上の何れかがクリックされたか否かが判定され、その判定結果がＹｅｓの場合にはＳ１４０２へ処理が進み、Ｎｏの場合には本ステップが繰り返される。
【００６４】
Ｓ１４０２では、前ステップでクリックされた対象が、所見欄７１ｃ、診断欄７１ｄ、或いは処置欄７１ｅに表示されている患者説明用情報に基づく内容中のアンダーラインが引かれた単語（例えば、図１３の所見欄７１ｃに表示されている「Ｚ  ｌｉｎｅ  」、「切歯」、或いは「食道裂孔ヘルニア」など）であったか否かが判定され、その判定結果がＹｅｓの場合には図１４（ｂ）  の▲１▼の処理へ移り、Ｎｏの場合にはＳ１４０３へ処理が進む。
【００６５】
Ｓ１４０３では、Ｓ１４０１でクリックされた対象が、所見欄７１ｃ、診断欄７１ｄ、或いは処置欄７１ｅの何れかであったか否かが判定され、その判定結果がＹｅｓの場合には図１５（ａ）  の▲２▼の処理へ移り、Ｎｏの場合にはＳ１４０４へ処理が進む。
【００６６】
Ｓ１４０４では、Ｓ１４０１でクリックされた対象が、観察タグ７３（７３ａ、７３ｂ、７３ｃ、７３ｄ）の何れかであったか否かが判定され、その判定結果がＹｅｓの場合には図１５（ｂ）  の▲３▼の処理へ移り、Ｎｏの場合にはＳ１４０１へ処理が戻る。
【００６７】
このような図１４（ａ）  に示した処理により、クリックされた対象についての表示処理が行われる。
続いて、図１４（ｂ）  に示した、前述の▲１▼の処理について説明する。
同図（ｂ）  において、まず、Ｓ１４０５では、前述のＳ１４０１でクリックされた単語についてのポップアップメニュー８０が表示される。
【００６８】
図１６（ａ）  は、このときに表示されるポップアップメニュー８０の一例を示す図である。同図（ａ）  に示したように、ポップアップメニュー８０には、選択可能な項目として「単語説明」、「より簡単に表示」、及び「より専門的に表示」が表示される。
【００６９】
Ｓ１４０６では、このポップアップメニュー８０から、「単語説明」、「より簡単に表示」、及び「より専門的に表示」の何れかの項目が選択されたか否かが判定され、その判定結果がＹｅｓの場合にはＳ１４０７へ処理が進み、Ｎｏの場合には本ステップが繰り返される。
【００７０】
Ｓ１４０７では、前ステップで選択された項目が「用語説明」であったか否かが判定され、その判定結果がＹｅｓの場合にはＳ１４０８へ処理が進み、Ｎｏの場合にはＳ１４０９へ処理が進む。
Ｓ１４０８では、単語説明ウィンドウ８１が新たに表示され、処理が▲４▼へ、すなわちＳ１４０１へ戻る。
【００７１】
図１６（ｂ）  は、このときに表示される単語説明ウィンドウ８１の一例を示す図である。同図（ｂ）  に示した例は、図１３に示した患者説明用画面７０の所見欄７１ｃに表示されている文章中のアンダーラインが引かれた単語「Ｚ  ｌｉｎｅ  」についての単語説明ウィンドウ８１である。これにより、「Ｚ  ｌｉｎｅ  」とは、「食道−胃粘膜境界」であることを確認できる。尚、このような単語とそれに対応する単語説明に関する情報は、予めサーバ１５のデータベースに登録されており、クリックされた単語に応じて読み出され、その単語説明が表示されるようになっている。また、この単語説明ウィンドウ８１は、同ウィンドウ上のＯＫボタン８２が押下（クリック）されることによって閉じられる。
【００７２】
Ｓ１４０９では、Ｓ１４０６で選択された項目が「より簡単に表示」であったか否かが判定され、その判定結果がＹｅｓの場合にはＳ１４１０へ処理が進み、Ｎｏの場合にはＳ１４１１へ処理が進む。
Ｓ１４１０では、前述のＳ１４０１でクリックされた単語が、より簡単な表記に変更されて表示される。すなわち、クリックされた単語が、その単語に対応付けされている文書レベルの次に簡単な表記となる文書レベルの単語に変更されて表示される。そして、処理が▲４▼へ、すなわちＳ１４０１へ戻る。
【００７３】
Ｓ１４１１では、Ｓ１４０６で選択された項目が「より専門的に表示」であったことになるので、前述のＳ１４０１でクリックされた単語が、より専門的な表記に変更されて表示される。すなわち、クリックされた単語が、その単語に対応付けされている文書レベルの次に専門的な表記となる文書レベルの単語に変更されて表示される。そして、処理が▲４▼へ、すなわちＳ１４０１へ戻る。
【００７４】
このような図１４（ｂ）  に示した処理により、ポップアップメニュー８０の中から選択された項目に応じて、Ｓ１４０１でクリックされた単語についての説明の表示や、その単語がより簡単或いはより専門的な表記の単語に変更されて表示されるようになる。
【００７５】
続いて図１５（ａ）  に示した、前述の▲２▼の処理について説明する。
同図（ａ）  において、まず、Ｓ１５０１では、前述のＳ１４０１でクリックされた所見欄７１ｃ、診断欄７１ｄ、或いは処置欄７１ｅの何れかについてのポップアップメニュー８３が表示される。
【００７６】
図１７（ａ）  は、このときに表示されるポップアップメニュー８３の一例を示す図である。同図（ａ）  に示したように、ポップアップメニュー８３には、選択可能な項目として「表示欄をより簡単に表示」、「表示欄をより専門的に表示」、及び「段階．．．」が表示される。また、「段階．．．」においては、更に選択可能な項目として、文書レベルを示す「１」、「２」、「３」、「４」、「５」、及び「６」がそれぞれ表示される。尚、本例においては、文書レベル「１」から「６」（「６」から「１」）へ向かうほど文書レベルがより専門的（簡単）なレベルになるようになっている。
【００７７】
Ｓ１５０２では、このポップアップメニュー８３から、「表示欄をより簡単に表示」、「表示欄をより専門的に表示」、「段階．．．」の「１」、「２」、「３」、「４」、「５」、及び「６」の何れかの項目が選択されたか否かが判定され、その判定結果がＹｅｓの場合にはＳ１５０３へ処理が進み、Ｎｏの場合には本ステップが繰り返される。
【００７８】
Ｓ１５０３では、前ステップで選択された項目が「表示欄をより簡単に表示」であったか否かが判定され、その判定結果がＹｅｓの場合にはＳ１５０４へ処理が進み、Ｎｏの場合にはＳ１５０５へ処理が進む。
Ｓ１５０４では、前述のＳ１４０１でクリックされた、所見欄７１ｃ、診断欄７１ｄ、或いは処置欄７１ｅの何れかに表示されている患者説明用情報に基づく内容が、より簡単な表記に変更されて表示される。すなわち、その内容中のアンダーラインの引かれた各単語が、その単語に対応付けされている文書レベルの次に簡単な表記となる文書レベルの単語に変更されて表示される。そして、処理が▲４▼へ、すなわちＳ１４０１へ戻る。
【００７９】
Ｓ１５０５では、Ｓ１５０２で選択された項目が「表示欄をより専門的に表示」であったか否かが判定され、その判定結果がＹｅｓの場合にはＳ１５０６へ処理が進み、Ｎｏの場合にはＳ１５０７へ処理が進む。
Ｓ１５０６では、前述のＳ１４０１でクリックされた、所見欄７１ｃ、診断欄７１ｄ、或いは処置欄７１ｅの何れかに表示されている患者説明用情報に基づく内容が、より専門的な表記に変更されて表示される。すなわち、その内容中のアンダーラインの引かれた各単語が、その単語に対応付けされている文書レベルの次に専門的な表記となる文書レベルの単語に変更されて表示される。そして、処理が▲４▼へ、すなわちＳ１４０１へ戻る。
【００８０】
Ｓ１５０７では、Ｓ１５０２で選択された項目が「段階．．．」の「１」、「２」、「３」、「４」、「５」、及び「６」の何れかの文書レベルであったことになるので、所見欄７１ｃ、診断欄７１ｄ、或いは処置欄７１ｅの何れかに表示されている患者説明用情報に基づく内容が、「段階．．．」において選択された文書レベルに応じた表記に変更されて表示される。すなわち、その内容中のアンダーラインの引かれた各単語が、「段階．．．」において選択された文書レベルに応じた単語に変更されて表示される。そして、処理が▲４▼へ、すなわちＳ１４０１へ戻る。
【００８１】
このような図１５（ａ）  に示した処理により、ポップアップメニュー８３の中から選択された項目に応じて、Ｓ１４０１でクリックされた所見欄７１ｃ、診断欄７１ｄ、或いは処置欄７１ｅの何れかについての内容が、より簡単或いはより専門的な表記、又は所定の文書レベルに応じた表記の内容に変更されて表示されるようになる。
【００８２】
続いて図１５（ｂ）  に示した、前述の▲３▼の処理について説明する。
同図（ｂ）  において、まず、Ｓ１５０８では、前述のＳ１４０１でクリックされた観察タグ７３（７３ａ、７３ｂ、７３ｃ、７３ｄ）の何れかについてのポップアップメニュー８４が表示される。
【００８３】
図１７（ｂ）  は、このときに表示されるポップアップメニュー８４の一例を示す図である。同図（ｂ）  に示したように、ポップアップメニュー８４には、選択可能な項目として「タブ内の表示欄をより簡単に表示」、「タブ内の表示欄をより専門的に表示」、及び「段階．．．」が表示される。また「段階．．．」においては、更に選択可能な項目として、文書レベルを示す、「１」、「２」、「３」、「４」、「５」、及び「６」がそれぞれ表示される。尚、本例においては、文書レベル「１」から「６」（「６」から「１」）へ向かうほど文書レベルがより専門的（簡単）になるようになっている。
【００８４】
Ｓ１５０９では、このポップアップメニュー８４から、「タブ内の表示欄をより簡単に表示」、「タブ内の表示欄をより専門的に表示」、「段階．．．」の「１」、「２」、「３」、「４」、「５」、及び「６」の何れかが選択されたか否かが判定され、その判定結果がＹｅｓの場合にはＳ１５１０へ処理が進み、Ｎｏの場合には本ステップが繰り返される。
【００８５】
Ｓ１５１０では、前ステップで選択された項目が「タブ内の表示欄をより簡単に表示」であったか否かが判定され、その判定結果がＹｅｓの場合にはＳ１５１１へ処理が進み、Ｎｏの場合にはＳ１５１２へ処理が進む。
Ｓ１５１１では、前述のＳ１４０１でクリックされた、観察タグ７３（７３ａ、７３ｂ、７３ｃ、７３ｄ）の何れかの所見欄７１ｃ、診断欄７１ｄ、及び処置欄７１ｅに表示されている患者説明用情報に基づく内容が、より簡単な表記に変更されて表示される。すなわち、その内容中のアンダーラインの引かれた各単語が、その単語に対応付けされている文書レベルの次に簡単な表記となる文書レベルの単語に変更されて表示される。そして、処理が▲４▼へ、すなわちＳ１４０１へ戻る。
【００８６】
Ｓ１５１２では、Ｓ１５０９で選択された項目が「タブ内の表示欄をより専門的に表示」であったか否かが判定され、その判定結果がＹｅｓの場合にはＳ１５１３へ処理が進み、Ｎｏの場合にはＳ１５１４へ処理が進む。
Ｓ１５１３では、前述のＳ１４０１でクリックされた、観察タグ７３（７３ａ、７３ｂ、７３ｃ、７３ｄ）の何れかの所見欄７１ｃ、診断欄７１ｄ、及び処置欄７１ｅに表示されている患者説明用情報に基づく内容が、より専門的な表記に変更されて表示される。すなわち、その内容中のアンダーラインの引かれた各単語が、その単語に対応付けされている文書レベルの次に専門的な表記となる文書レベルの単語に変更されて表示される。そして、処理が▲４▼へ、すなわちＳ１４０１へ戻る。
【００８７】
Ｓ１５１４では、Ｓ１５０９で選択された項目が「段階．．．」の「１」、「２」、「３」、「４」、「５」、及び「６」の何れかの文書レベルであったことになるので、前述のＳ１４０１でクリックされた、観察タグ７３（７３ａ、７３ｂ、７３ｃ、７３ｄ）の何れかの所見欄７１ｃ、診断欄７１ｄ、及び処置欄７１ｅに表示されている患者説明用情報に基づく内容が、「段階．．．」において選択された文書レベルに応じた表記に変更されて表示される。すなわち、その内容中のアンダーラインの引かれた各単語が、「段階．．．」において選択された文書レベルに応じた単語に変更されて表示される。そして、処理が▲４▼へ、すなわちＳ１４０１へ戻る。
【００８８】
このような図１５（ｂ）  に示した処理により、ポップアップメニュー８４の中から選択された項目に応じて、クリックされた観察タグ７３（７３ａ、７３ｂ、７３ｃ、７３ｄ）の何れかの所見欄７１ｃ、診断欄７１ｄ、及び処置欄７１ｅに表示されている患者説明用情報に基づく内容が、より簡単或いはより専門的な表記、又は所定の文書レベルに応じた表記の内容に変更されて表示されるようになる。
【００８９】
以上の図１４（ａ），（ｂ）  及び図１５（ａ），（ｂ）  に示した処理が行われることによって、各観察タグ７３（７３ａ、７３ｂ、７３ｃ、７３ｄ）の各々についての所見欄７１ｃ、診断欄７１ｄ、或いは処置欄７１ｅに表示される患者説明用情報に基づく内容を、患者の医療知識レベルに応じた内容へ変更させることが可能になる。
【００９０】
また、図１３に示した患者説明用画面７０において、各観察タグ７３（７３ａ、７３ｂ、７３ｃ、７３ｄ）の各々についての所見欄７１ｃ、診断欄７１ｄ、及び処置欄７１ｅに表示される内容を一度に変更させることが可能なように、例えば、患者説明用画面７０上に、その指示を可能にするボタンを設け、このボタンが押下（クリック）されることによって、その内容が一度に変更されるようにしても良い。この場合、そのボタンが押下されることによって、図１７（ａ），（ｂ）  に示したポップアップメニューと同様に、その内容をより簡単に表示させるか、より専門的に表示させるか、或いは選択された文書レベルに応じた内容に変更して表示させるか、の何れかの項目を選択可能にするポップアップメニューを表示させ、その中から所定の項目が選択されることによって、対応する内容に変更されて表示されるようになる。
【００９１】
また、図１３に示した患者説明用画面７０において、付属情報ボタン７５が押下（クリック）されることによって、対応する付属情報に基づく付属情報画面９０が表示される。尚、この付属情報は、症状に関する情報であって予めサーバ１５のデータベースに登録（記録）されており、必要に応じて対応する付属情報が読み出され、この付属情報に基づく付属情報画面９０が表示される。
【００９２】
図１８は、このときに表示される付属情報画面９０の一例を示す図である。
同図に示したように、付属情報画面９０には、症状タイトルタグ９１、説明欄９２、症状が進んだ場合欄９３、予防対応策欄９４、施設での同症例欄９５等が表示される。
【００９３】
症状タイトルタグ９１は、本検査において重要となる症状を示すタグである。同図においては、症状「食道裂孔ヘルニア」を示す症状タイトルタグ９１が一つ示されているだけであるが、実際には、症状の数だけタグが作成され、対応する各症状タイトルタグ９１が表示されるようになっている。また、各症状タイトルタグ９１に対応して、その症状に関する説明、その症状が進んだ場合の説明、その症状についての予防対応策の説明、及び施設でのその症状と同一の症例の説明が、説明欄９２、症状が進んだ場合欄９３、予防対応策欄９４、施設での同症例欄９５にそれぞれ表示されるようになっている。従って、所定の症状タイトルタグ９１が選択（クリック）されることによって、その症状に応じた付属情報が表示されるようになる。
【００９４】
また、施設での同症例欄９５には、本施設において同一の症状がある場合にその一覧が症状の重い順に表示される。この一覧の各々は、その同一の症状に対する検査が行われた年月日として表され、それにアンダーラインが引かれて表示される。また、異なる年月日に同一の患者に対して同一の症状に対する検査が複数回行われたときには、その検査毎の年月日がそれぞれ、施設での同症例欄９５に表示されるようになる。このような具合に表示された一覧の中から所定の年月日が選択（クリック）されることによって、不図示ではあるが、その年月日に行われた検査に関する情報に基づく内容が表示され、その閲覧が可能になっている。尚、同図に示した、施設での同症例欄９５には年月日だけが表示されるものであったが、検査において行われた所見、診断等も年月日と共に表示するようにしても良い。
【００９５】
また、付属情報画面９０において、説明用印刷ボタン９６が押下（クリック）されることにより付属情報画面９０に表示されている内容が印刷され、また、閉じるボタン９７が押下（クリック）されることによりこの付属情報画面が閉じられる。
【００９６】
また、図１３に示した患者説明用画面７０において、説明用印刷ボタン７４が押下（クリック）されることにより、或いは図４等に示した入力画面３０において説明用印刷ボタン４１が押下（クリック）されることにより、患者説明用情報に基づく内容がプリンタ１９ｂ（或いは１９等）によって印刷される。
【００９７】
図１９は、このときに印刷される、患者説明用情報に基づく印刷結果の一例を示す図である。
同図に示したように、印刷結果には、図４等に示した入力画面３０の表示エリア３１、３２に表示されていた患者基本情報及び検査種別指定と、図１３に示した患者説明用画面７０の内視鏡診断欄７１ａ、検査後指示欄７１ｂ、各観察タグ７３（７３ａ、７３ｂ、７３ｃ、７３ｄ）についての所見欄７１ｃ、診断欄７１ｄ、及び処置欄７１ｅ、及び内視鏡画像欄７２に表示されていた内容と、図１８に示した付属情報画面９０の各症状タイトルタグ９１についての説明欄９２、症状が進んだ場合欄９３、予防対応策欄９４、及び施設での同症例欄９５に表示されていた内容が印刷される。また、図１６に示した単語説明ウィンドウ８１に表示されていた内容等も印刷される。
【００９８】
尚、不図示ではあるが、これらの印刷項目は必要に応じて変更設定することができるようにっている。
また、図１３に示した患者説明用画面７０において、閉じるボタン７６が押下（クリック）されると、患者説明用画面７０が閉じられると共に、このときの（閉じるボタン７６が押下されたときの）患者説明用画面７０の内容に応じた患者説明用情報が、サーバ１５のデータベースに保存される。但し、この患者説明用情報は、前述したように、作成されたレポート情報に対応付けされて保存されるようになる。また、閉じるボタンが押下されたときの患者説明用画面７０の内容中で使用されている各単語の文書レベルに基づいて、その文書レベルの平均値が求められ、その平均値が、患者の医療知識レベルに関する情報として、サーバ１５のデータベースに保存される。そして、次回に同一患者に対する患者説明用情報を作成する際には、この患者の医療知識レベルに関する情報に基づいて行われるようになる。尚、この患者の医療知識レベルに関する情報は、作成されたレポート情報に関連付けされて保存されるようになっている。従って、その患者に対する検査毎に、その患者の医療知識レベルに関する情報が保存されるようになり、後に、その患者の医療知識レベルの経過を確認することができ、その経過を確認することによって、その患者への説明を十分に行っているか否か等といったドクターの評価等に役立てることが可能になる。
【００９９】
また、患者説明用画面７０を表示（起動）させる場合や、閉じる（終了させる）場合に、患者が所有しているＩＤカードや患者の指紋を用いて、認証処理を行うようにしても良い。このようにすることで、例えば、患者に対する説明に要した時間を計数すること等が可能になり、患者への説明を十分に行っているか否か等といった、ドクターの評価等に役立てることが可能になる。但し、緊急時などの場合を考慮して、ＩＤカードが無くても患者説明用画面７０を強制的に起動、終了させることが可能なように構成しても良い。この場合には、誰が行ったかを後に特定できるように、誰が行ったかを示す情報がサーバ１５に保存されるようにする。
【０１００】
また、不図示ではあるが、この患者説明用画面７０を介して患者からドクターの説明に対するアンケートを取るようにし、そのアンケート結果をドクターの評価収集の一手段として利用して病院の経営等に役立てることも可能である。尚、このようなアンケートは、例えば、会計の待ち時間等に、患者がＩＤカードを用いて院内ネットワーク３に接続された患者向け情報端末装置にログインして行えるように構成しても良い。
【０１０１】
以上、本実施形態によれば、内視鏡検査に関するレポート情報が作成されるときに、同時に患者説明用情報も作成されるようになるので、患者への説明のために別途説明用の資料を作成する手間を省くことができ、ドクターの業務効率を向上させることができる。また、その患者説明用情報は、患者の医療知識レベルに応じて作成されるので、患者に対し検査内容を十分に理解させることができ、患者の医療知識の理解を向上させることができる。また、この結果として、患者の病院に対する信頼度が向上し、患者の再来院により集客効果を向上させることもできる。
【０１０２】
尚、本実施形態では、内視鏡検査を例に説明したが、病理検査、超音波検査、ＣＴ検査、ＭＲＩ検査等の、内視鏡検査以外の検査に適用するようにしても良い。
以上、本発明の医療情報システム及び医療情報管理方法について詳細に説明したが、本発明は上記実施形態に限定されず、本発明の要旨を逸脱しない範囲において、各種の改良及び変更を行っても良いのはもちろんである。
【０１０３】
【発明の効果】
以上、詳細に説明したように、本発明によれば、ドクターの業務効率の向上、患者の医療知識や治療知識の理解の向上、及び患者の再来院による集客効果の向上が可能になる。
【図面の簡単な説明】
【図１】本発明の一実施の形態に係る医療情報システムの構成例を示す図である。
【図２】内視鏡検査システムの構成例を示す図である。
【図３】レポート入出力用端末の構成例を示す図である。
【図４】レポート情報作成処理が開始されたときに、レポート入出力用端末のＰＣモニタに表示される、レポート作成用の入力画面の一例を示す図である。
【図５】入力画面において、「所見」、「診断」、及び「処置」の各入力欄への入力が行われるときに実行される入力処理の一例を示すフローチャートである。
【図６】用語選択ウィンドウ５０の一例を示した図である。
【図７】用語選択ウィンドウ５０の一例を示す図である。
【図８】入力画面の一例を示す図である。
【図９】「咽頭」の観察タグが選択されて図５に示した処理が行われることによって表示される入力画面の一例である。
【図１０】「胃」の観察タグが選択されて図５に示した処理が行われることによって表示される入力画面の一例である。
【図１１】「十二指腸」の観察タグが選択されて図５に示した処理が行われることによって表示される入力画面の一例を示す図である。図１１
【図１２】内視鏡検査レポート画面の一例を示す図である。
【図１３】患者説明用画面の一例を示す図である。
【図１４】（ａ），（ｂ）  は、患者説明用画面において行われる表示処理の一例を示すフローチャートである。
【図１５】（ａ），（ｂ）  は、患者説明用画面において行われる表示処理の一例を示すフローチャートである。
【図１６】（ａ）  はポップアップメニューの一例を示す図、（ｂ）  は単語説明ウィンドウの一例を示す図である。
【図１７】（ａ），（ｂ）  は、ポップアップメニューの一例を示す図である。
【図１８】付属情報画面の一例を示す図である。
【図１９】患者説明用情報に基づく印刷結果の一例を示す図である。
【符号の説明】
１      医療情報システム
２      院内情報端末
３      院内ネットワーク
４      内視鏡検査システム
５      内視鏡部門
６      病理検査システム
７      病理部門
８      電子カルテシステム
９      検査システム
１１    内視鏡検査装置
１２    検査装置用端末
１３    システムネットワーク
１４    レポート入出力用端末
１５    サーバ
１６    ＤＶＤチェンジャー
１７    ＤＶＤ制御用端末
１８    データ送受信用端末
１９、１９ａ、１９ｂ  プリンタ
２１    ネットワークＩ／Ｆ
２２    データ入力部
２３    プリンタＩ／Ｆ
２４    データ表示部
２５    データ記憶部
２６    データ制御部
３０    入力画面
３１、３２、３３  表示エリア
３４ａ、３４ｂ、３４ｃ、３４ｄ、３４ｅ、３４ｆ  レポート情報入力欄
３５ａ、３５ｂ、３５ｃ、３５ｄ  観察タグ
３６    用語選択欄
３７    レポート確認ボタン
３８    レポート印刷ボタン
３９    レポート送信ボタン
４０    レポート保存ボタン
４１    説明用印刷ボタン
４２    患者説明ボタン
４３    内視鏡画像
４４    内視鏡画像欄
５０    用語選択ウィンドウ
５１ａ、５１ｂ、５１ｃ  用語選択項目欄
５２    文章表示欄
５３    ＯＫボタン
５４    キャンセルボタン
６０    内視鏡検査レポート画面
６１    画面表示ボタン
７０    患者説明用画面
７１ａ  内視鏡診断欄
７１ｂ  検査後指示欄
７１ｃ  所見欄
７１ｄ  診断欄
７１ｅ  処置欄
７２    画像欄
７３ａ、７３ｂ、７３ｃ、７３ｄ  観察タグ
７４    説明用印刷ボタン
７５    付属情報ボタン
７６    閉じるボタン
８０    ポップアップメニュー
８１    単語説明ウィンドウ
８２    ＯＫボタン
８３、８４  ポップアップメニュー
９０    付属情報画面
９１    症状タイトルタグ
９２    説明欄
９３    症状が進んだ場合欄
９４    予防対応策欄
９６    説明用印刷欄
９７    閉じるボタン
【図１】
2004154237.tif 000003
【図２】
2004154237.tif 000004
【図３】
2004154237.tif 000005
【図４】
2004154237.tif 000006
【図５】
2004154237.tif 000007
【図６】
2004154237.tif 000008
【図７】
2004154237.tif 000009
【図８】
2004154237.tif 000010
【図９】
2004154237.tif 000011
【図１０】
2004154237.tif 000012
【図１１】
2004154237.tif 000013
【図１２】
2004154237.tif 000014
【図１３】
2004154237.tif 000015
【図１４】
2004154237.tif 000016
【図１５】
2004154237.tif 000017
【図１６】
2004154237.tif 000018
【図１７】
2004154237.tif 000019
【図１８】
2004154237.tif 000020
【図１９】
2004154237.tif 000021